(57)【要約】【課題】楽曲が再生されている場にいる人に対し、当該楽曲に対して行われた選曲の評価を当該楽曲の再生中に知らせる。【解決手段】再生装置２０は、ユーザーが選択した楽曲を再生する。端末装置１０Ａ〜１０Ｄは、再生中の楽曲の評価結果を示す評価データを、ユーザーの操作に応じて再生装置２０へ送信する。再生装置２０は、端末装置１０Ａ〜１０Ｄから送信された評価データに応じて、再生中の楽曲の再生態様を変更する。再生装置２０は、再生中の楽曲の再生が終了すると、再生態様を初期化する。【選択図】図６
2016057569.tif 000002
【特許請求の範囲】
【請求項１】
オーディオデータを再生する再生手段と、
複数の端末装置と接続され、前記複数の端末装置と近距離無線通信を行い、前記再生手段で再生中のオーディオデータに対する評価を示す評価データを接続されている前記複数の端末から取得する取得手段と、
前記取得手段が取得した評価データに応じて再生中の前記オーディオデータの再生態様を変更する変更手段と、
を有する再生装置。
【請求項２】
前記端末装置は、前記再生手段で再生するオーディオデータを選択し、
前記再生手段は、前記端末装置が選択したオーディオデータを再生する
請求項１に記載の再生装置。
【請求項３】
前記変更手段は、前記取得手段が前記オーディオデータの再生期間内の予め定められた期間内において取得した評価データに応じて前記オーディオデータの再生態様を変更する
請求項１又は請求項２に記載の再生装置。
【請求項４】
前記変更手段は、前記オーディオデータの再生が終了した場合、前記再生態様を予め定められた再生態様に変更する
請求項１又は請求項２に記載の再生装置。
【発明の詳細な説明】
【技術分野】
【０００１】
本発明は、再生中の楽曲に対する評価を複数端末から得る技術に関する。
【背景技術】
【０００２】
再生された楽曲に対する評価を得る発明として、例えば特許文献１に開示されたランキングシステムがある。このシステムにおいては、視聴者は、楽曲のストリーミングデータを投票装置で受信し、投票装置でストリーミングデータを再生する。視聴者は、再生された楽曲を評価し、評価結果をランキング作成装置へ送信する。ランキング作成装置は、投票装置から送信された評価結果を受信し、評価結果を楽曲毎に集計する。
【先行技術文献】
【特許文献】
【０００３】
【特許文献１】特開２００５−１９０２２６号公報
【発明の概要】
【発明が解決しようとする課題】
【０００４】
他に楽曲を再生する装置としては、例えば飲食店や遊技場に設置されるジュークボックスがある。これらの場所に設置されたジュークボックスで楽曲を再生した場合、再生される楽曲を複数の客が聞くこととなる。この場合、再生されている楽曲がその場にいる者の嗜好に合っていて評価されていることを、その場にいるものに知らせることができれば、楽曲の嗜好を共有し、後に再生する楽曲の選択に役立てることができる。
【０００５】
特許文献１のシステムの場合、楽曲を聞いた者の評価を得ることができるものの、上述の場合のような、同じ場所で楽曲を同時に聞いた人がどのような評価をしたのかを知ることができず、楽曲の嗜好を共有することができない。
【０００６】
本発明は、上述した背景の下になされたものであり、楽曲が再生されている場にいる人に対し、当該楽曲に対して行われた選曲の評価を当該楽曲の再生中に知らせる技術を提供することを目的とする。
【課題を解決するための手段】
【０００７】
本発明は、オーディオデータを再生する再生手段と、複数の端末装置と接続され、前記複数の端末装置と近距離無線通信を行い、前記再生手段で再生中のオーディオデータに対する評価を示す評価データを接続されている前記複数の端末から取得する取得手段と、前記取得手段が取得した評価データに応じて再生中の前記オーディオデータの再生態様を変更する変更手段と、を有する再生装置を提供する。
【０００８】
本発明においては、前記端末装置は、前記再生手段で再生するオーディオデータを選択し、前記再生手段は、前記端末装置が選択したオーディオデータを再生する構成としてもよい。
【０００９】
本発明においては、前記変更手段は、前記取得手段が前記オーディオデータの再生期間内の予め定められた期間内において取得した評価データに応じて前記オーディオデータの再生態様を変更する構成としてもよい。
【００１０】
また、本発明においては、前記変更手段は、前記オーディオデータの再生が終了した場合、前記再生態様を予め定められた再生態様に変更する構成としてもよい。
【発明の効果】
【００１１】
本発明によれば、楽曲が再生されている場にいる人に対し、当該楽曲に対して行われた選曲の評価を当該楽曲の再生中に知らせることができる。
【図面の簡単な説明】
【００１２】
【図１】本発明の一実施形態に係る装置を示した図。
【図２】端末装置１０のハードウェア構成を示したブロック図。
【図３】端末装置１０の機能構成を示した機能ブロック図。
【図４】再生装置２０のハードウェア構成を示したブロック図。
【図５】再生装置２０の機能構成を示した機能ブロック図。
【図６】実施形態の一動作例を説明するためのシーケンス図。
【発明を実施するための形態】
【００１３】
［実施形態］
図１は、本発明の実施形態に係る楽曲再生システムに含まれる装置を示した図である。本実施形態に係る端末装置１０Ａ〜１０Ｄは、所謂スマートフォンである。以下、端末装置１０Ａ〜１０Ｄの各々を区別する必要がない場合は、端末装置１０と称する。図１においては、端末装置１０Ａ〜１０Ｄを示しているが、本システムに含まれる端末装置１０の数は、図示した数に限定されるものではなく、他の数であってもよい。端末装置１０は、近距離無線通信の機能を有しており、再生装置２０と無線通信を行う。なお、端末装置１０は、スマートフォンに限定されるものではなく、タブレット端末やデータ通信に特化したコンピュータ装置などであってもよい。
再生装置２０は、例えば、飲食店や遊技場、車内などに設置され、ユーザーの操作に応じて楽曲を再生する装置である。再生装置２０は、近距離無線通信の機能を有しており、端末装置１０と無線通信を行う。
【００１４】
（端末装置１０の構成）
図２は、端末装置１０のハードウェア構成の一例を示した図である。制御部１０１は、ＣＰＵ（Central Processing Unit）やＲＡＭ（Random Access Memory）、不揮発性メモリを備えており、ＣＰＵが不揮発性メモリに記憶されているプログラムを実行すると、スマートフォンのオペレーティングシステムが実現する。
【００１５】
タッチパネル１０３は、表示装置（例えば液晶ディスプレイ）と位置入力装置とが一体化した装置である。タッチパネル１０３は、端末装置１０を操作するための各種画面を表示する。また、タッチパネル１０３は、表示装置上においてユーザーが指又はスタイラスペンで触れた位置を示す情報を制御部１０１へ出力する。制御部１０１は、表示装置で表示されている画面と、タッチパネル１０３から出力された情報に基づいてユーザーの操作を特定し、特定した操作に応じた処理を実行する。操作部１０４は、端末装置１０を操作するためのボタンを備えている。通信部１０５は、移動体通信網を介して無線通信を行う通信インターフェースとして機能する。近距離通信部１０８は、ＩＥＥＥ８０２．１１の通信規格に従った通信を行う機能を有しており、同じ通信規格に従った通信を行う他の装置と無線通信を行う。
【００１６】
音声処理部１０７は、マイクロホンとスピーカを有している。音声処理部１０７は、端末装置１０同士が音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が放音される。また、音声処理部１０７は、マイクロホンが音声を収音すると、収音した音声をデジタル信号に変換する。音声処理部１０７は、端末装置１０で音声通話を行う場合、ユーザーの音声を変換したデジタル信号を通信部１０５へ供給する。このデジタル信号は、通信部１０５から移動体通信網へ送信され、通話相手の端末装置１０へ送信される。
【００１７】
記憶部１０２は、不揮発性メモリであり、各種アプリケーションプログラム（以下、アプリと称する）やアプリが使用するデータを記憶する。本実施形態においては、記憶部１０２は、再生装置２０と無線通信（本実施形態では、Wi-Fi Directによる通信）を行い、再生装置２０が再生した楽曲の評価結果を再生装置２０へ送信する機能を実現する評価アプリを記憶している。
【００１８】
（端末装置１０の機能構成）
図３は、評価アプリを実行することにより実現する機能の構成を示した機能ブロック図である。生成部１５１は、タッチパネル１０３で行われた操作に応じて、再生装置２０が再生した楽曲の評価結果を示す評価データを生成する。送信部１５２は、生成部１５１が生成した評価データを、近距離通信部１０８を制御して再生装置２０へ送信する。
【００１９】
（再生装置２０の構成）
図４は、再生装置２０のハードウェア構成の一例を示した図である。
制御部２０１は、ＣＰＵやＲＡＭ、不揮発性メモリを備えている。ＣＰＵが不揮発性メモリに記憶されているプログラムを実行すると、楽曲を再生する機能、端末装置１０と無線通信（本実施形態では、Wi-Fi Directによる通信）を行い、再生中の楽曲の評価結果を取得する機能、取得した評価結果に応じて再生中の楽曲の再生態様を変更する機能などが実現する。
【００２０】
近距離通信部２０５は、ＩＥＥＥ８０２．１１の通信規格に従った無線通信を行う機能を有しており、同じ通信規格に従った通信を行う他の装置と通信を行う。記憶部２０２は、データを永続的に記憶する不揮発性メモリを有している。記憶部２０２は、楽曲を表すオーディオデータや、端末装置１０から送信される評価結果を表すデータを記憶する。操作部２０３は、再生装置２０を操作するための各種ボタンを有している。表示部２０４は、画像を表示する装置（例えば液晶ディスプレイ）を有しており、再生装置２０を操作するための各種画面を表示する。制御部２０１は、表示部２０４で表示されている画面と、操作部２０３で行われた操作に基づいてユーザーの操作を特定し、特定した操作に応じた処理を実行する。再生部２０６は、スピーカを有している。再生部２０６は、記憶部２０２から供給されるオーディオデータが表す楽曲をスピーカから放音する。
【００２１】
（再生装置２０の機能構成）
図５は、制御部２０１のＣＰＵが不揮発性メモリのプログラムを実行することにより再生装置２０において実現する機能の構成を示した機能ブロック図である。取得部２５１は、近距離通信部２０５を制御し、端末装置１０から送信される評価データを取得する。変更部２５２は、取得部２５１が取得した評価データに応じて再生部２０６を制御し、オーディオデータの再生態様を変更する。
【００２２】
（実施形態の動作例）
次に本実施形態の動作例について、図６のシーケンス図を用いて説明する。なお、以下の動作例に説明においては、設定アプリが端末装置１０Ａ〜１０Ｄにおいて実行されており、再生装置２０と端末装置１０Ａ〜１０Ｄとの間で行われる無線通信の接続の設定が終了しているものとする。
【００２３】
まず、ユーザーが再生装置２０において楽曲を選択し、選択した楽曲を再生する操作を行うと、制御部２０１は、選択された楽曲のオーディオデータを記憶部２０２から取得し、取得したオーディオデータを再生部２０６へ供給する。再生部２０６は、供給されたオーディオデータからアナログのオーディオ信号を生成し、オーディオ信号をスピーカへ供給して楽曲を再生する（ステップＳ１）。
【００２４】
楽曲の再生が開始されると、再生されている楽曲を聞いている端末装置１０のユーザーは、再生された楽曲の評価結果を、端末装置１０を操作して再生装置２０へ送信する。具体的には、評価アプリが実行されている端末装置１０においては、タッチパネル１０３において「○」のボタン及び「×」のボタンが表示されている。端末装置１０Ａのユーザーは、再生されている楽曲を評価（主に選曲を評価）し、再生されている楽曲が自分の好みの楽曲である場合、タッチパネル１０３において「○」のボタンが表示されている部分をタップする（ステップＳ２）。制御部１０１は、「○」のボタンが表示されている部分がタップされると、高評価であることを示す評価データを、近距離通信部１０８を制御して再生装置２０へ送信する（ステップＳ３）。
【００２５】
この評価データを近距離通信部２０５が受信すると、制御部２０１は、受信した評価データの内容に応じて楽曲の再生態様を変更する（ステップＳ４）。具体的には、例えば、制御部２０１は、受信した評価データの内容が高評価を示すものである場合、スピーカから放音している楽曲の音量を予め定められた量だけ大きくする。
【００２６】
他の端末装置１０Ｂ〜１０Ｄにおいても、ユーザーは、再生されている楽曲を評価し、タッチパネル１０３に表示されている「○」のボタンと「×」のボタンのいずれかをタップする。
例えば、端末装置１０Ｂにおいて、「○」のボタンの部分がタップされると（ステップＳ５）、端末装置１０Ｂは、高評価であることを示す評価データを再生装置２０へ送信し（ステップＳ６）、再生装置２０は、評価データに応じて、スピーカから放音している楽曲の音量を予め定められた量だけ大きくする（ステップＳ７）。
また、例えば、端末装置１０Ｃにおいて、「×」のボタンの部分がタップされると（ステップＳ８）、端末装置１０Ｃは、低評価であることを示す評価データを再生装置２０へ送信し（ステップＳ９）、再生装置２０は、評価データに応じて、スピーカから放音している楽曲の音量を予め定められた量だけ小さく（ステップＳ１０）。
また、例えば、端末装置１０Ｄにおいて、「○」のボタンの部分がタップされると（ステップＳ１１）、端末装置１０Ｄは、高評価であることを示すデータを再生装置２０へ送信し（ステップＳ１２）、再生装置２０は、評価データに応じて、スピーカから放音している楽曲の音量を予め定められた量だけ大きくする（ステップＳ１３）。
【００２７】
再生装置２０は、オーディオデータからのオーディオ信号の生成が終了し、生成したオーディオ信号のスピーカへの供給が終了すると、楽曲の再生を終了し（ステップＳ１４）、楽曲の再生態様を初期化する（ステップＳ１５）。具体的には、本実施形態においては、再生装置２０は、放音する音の音量を予め定められた音量に設定する。
【００２８】
本実施形態によれば、同じ場所で同時に楽曲を聞いている端末装置１０のユーザーの評価結果に応じて、再生中の楽曲の再生態様が変更されるため、楽曲を選択した者は、楽曲を同時に聞いた人がどのような評価をしたのかを知ることができ、楽曲の嗜好を共有することができる。
【００２９】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００３０】
上述した実施形態においては、オーディオデータは、再生装置２０に記憶されており、再生装置２０で再生されるが、この構成に限定されるものではない。例えば、端末装置１０に記憶されているオーディオデータを端末装置で再生し、オーディオデータが表す音を無線通信（例えばBluetooth（登録商標））で再生装置２０へ送信してもよい。そして、再生装置２０において再生態様を制御して放音するようにしてもよい。
本発明においては、楽曲の再生態様を変更する処理とは、放音する音の音量を変更する処理であるが、楽曲の再生態様を変更する処理は、音量を変更する処理に限定されるものではない。例えば、高評価がされた場合には楽曲の低音域の音を強め、低評価がされた場合には楽曲の低音域の音を弱めるようにしてもよい。また、再生装置２０は、受信した評価データのうち、低評価を表す評価データの数が予め定められた閾値を超えた場合には、楽曲の再生を中止するようにしてもよい。
【００３１】
本発明においては、楽曲の再生を開始してから予め定められた時間が経過するまでを楽曲の評価期間とし、再生装置２０は、評価期間の後に評価データを受信した場合には、当該評価データを破棄し、楽曲の再生態様を変更しないようにしてもよい。
また、本発明においては、再生装置２０は、再生態様を変更した後、評価データを予め定められた時間の間に受信しなかった場合、再生態様を初期化してもよい。
【００３２】
上述した実施形態においては、一つの評価データを受信すると、受信した評価データに応じて再生態様を変更しているが、再生態様を変更する構成は、この構成に限定されるものではない。例えば、再生装置２０は、予め定められた数の高評価の評価データを受信すると、放音する音の音量を大きくし、予め定められた数の低評価の評価データを受信すると、放音する音の音量を小さくしてもよい。
【００３３】
本発明においては、端末装置１０において、再生装置２０が再生可能な楽曲のリストを表示し、端末装置１０のユーザーが、リストの中から選択した楽曲を再生装置２０で再生するようにしてもよい。また、このように再生装置２０で再生する楽曲の選択を端末装置１０で行う構成においては、楽曲を選択した端末装置１０から選択されて再生された楽曲に対して評価データが送信された場合、再生装置２０は、当該評価データを破棄して再生態様の変更を行わないようにしてもよい。
【００３４】
上述した実施形態においては、端末装置１０と再生装置２０は、ＩＥＥＥ８０２．１１の通信規格に従った通信を行うが、端末装置１０と再生装置２０との間で行われる通信は、他の無線通信の規格に従った通信であってもよい。
【００３５】
各装置のプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取り可能な記録媒体に記憶した状態で提供し、インストールしてもよい。また、通信回線を介してプログラムをダウンロードしてインストールしてもよい。
【符号の説明】
【００３６】
１０…端末装置、２０…再生装置、１０１…制御部、１０２…記憶部、１０３…タッチパネル、１０４…操作部、１０５…通信部、１０７…音声処理部、１０８…近距離通信部、１５１…生成部、１５２…送信部、２０１…制御部、２０２…記憶部、２０３…操作部、２０４…表示部、２０５…近距離通信部、２０６…再生部、２５１…取得部、２５２…変更部
【図１】
2016057569.tif 000003
【図２】
2016057569.tif 000004
【図３】
2016057569.tif 000005
【図４】
2016057569.tif 000006
【図５】
2016057569.tif 000007
【図６】
2016057569.tif 000008